(57)【要約】【課題】携帯型の情報端末を商品販売データ処理に活用する。これにより、商品販売形態の多様化および顧客サービスの向上を図る。【解決手段】記憶手段を有する据置型のドッキングステーション、およびこのドッキングステーションへの装着およびそのドッキングステーションからの離脱が自在な携帯型の情報端末を備える。情報端末は、商品の販売に係るデータの入力を受付け、受付けたデータを処理するとともに、その処理の引継ぎに必要なデータをドッキングステーションの記憶手段に記憶する。そして、情報端末は、当該情報端末が前記ドッキングステーションに装着されたとき、そのドッキングステーションの記憶手段に記憶されているデータに応じた処理を継続的に実行する。【選択図】図３
2015022359.tif 000002
【特許請求の範囲】
【請求項１】
記憶手段を有する据置型のドッキングステーションと、
前記ドッキングステーションへの装着およびそのドッキングステーションからの離脱が自在な携帯型の情報端末と、
を備え、
前記情報端末は、
商品の販売に係るデータの入力を受付ける入力手段と、
前記入力手段で受付けたデータを処理する処理手段と、
前記処理手段の処理の引継ぎに必要なデータを前記ドッキングステーションの前記記憶手段に記憶する第１制御手段と、
当該情報端末が前記ドッキングステーションに装着されたとき、そのドッキングステーションの記憶手段に記憶されているデータに応じた処理を前記処理手段で継続的に実行させる第２制御手段と、
を含む、
ことを特徴とする商品販売データ処理装置。
【請求項２】
前記第１制御手段は、前記処理手段による処理の実行に伴い、その処理の引継ぎに必要なデータを前記ドッキングステーションの前記記憶手段に逐次に記憶する、
ことを特徴とする請求項１記載の商品販売データ処理装置。
【請求項３】
前記第１制御手段は、処理の引継ぎ指定を受けたとき、前記処理手段による実行中の処理を中断し、中断した処理の再開および継続に必要なデータを前記ドッキングステーションの前記記憶手段に記憶する、
ことを特徴とする請求項１記載の商品販売データ処理装置。
【請求項４】
前記情報端末は、
処理の継続的な実行に際し、その処理がどの情報端末で実行されていたものであるかを示すデータを表示する表示制御手段、
をさらに含むことを特徴とする請求項１乃至請求項４のいずれかに記載の商品販売データ処理装置。
【請求項５】
記憶手段を有するドッキングステーションへの装着およびそのドッキングステーションからの離脱が自在な情報端末であって、
商品の販売に係るデータの入力を受付ける入力手段と、
前記入力手段で受付けたデータを処理する処理手段と、
前記処理手段の処理の引継ぎに必要なデータを前記ドッキングステーションの前記記憶手段に記憶する第１制御手段と、
当該情報端末が前記ドッキングステーションに装着されたとき、そのドッキングステーションの記憶手段に記憶されているデータに応じた処理を前記処理手段で継続的に実行させる第２制御手段と、
を備えることを特徴とする情報端末。
【請求項６】
記憶手段を有するドッキングステーションへの装着およびそのドッキングステーションからの離脱が自在で、かつコンピュータを備えた情報端末であって、
前記コンピュータを、
商品の販売に係るデータの入力を受付ける入力手段と、
前記入力手段で受付けたデータを処理する処理手段と、
前記処理手段の処理の引継ぎに必要なデータを前記ドッキングステーションの前記記憶手段に記憶する第１制御手段と、
当該情報端末が前記ドッキングステーションに装着されたとき、そのドッキングステーションの記憶手段に記憶されているデータに応じた処理を前記処理手段で継続的に実行させる第２制御手段と、
して機能させるための制御プログラム。
【発明の詳細な説明】
【技術分野】
【０００１】
本発明の実施形態は、携帯型の情報端末を含む商品販売データ処理装置、情報端末、および制御プログラムに関する。
【背景技術】
【０００２】
買物客がレジカウンタに持ち込む商品のデータを読取り、その読取りデータを商品販売データとして処理する商品販売データ処理装置例えばＰＯＳ（Point Of Sales）端末が知られている。
【０００３】
このＰＯＳ端末は、店舗のレジカウンタに設置される据置型である。
【０００４】
一方、表示画面に対する手指のタッチ操作によって情報入力が可能な携帯型の情報端末、例えばタブレット型情報端末の普及および低価格化が著しい。
【先行技術文献】
【特許文献】
【０００５】
【特許文献１】特開２０１２−２５２６０５号公報
【発明の概要】
【発明が解決しようとする課題】
【０００６】
上記のような情報端末をＰＯＳ端末として活用できれば、店舗の商品販売形態の多様化や顧客サービスの向上に貢献できると考えられる。
【課題を解決するための手段】
【０００７】
一実施形態の商品販売データ処理装置は、記憶手段を有する据置型のドッキングステーションと、このドッキングステーションへの装着およびそのドッキングステーションからの離脱が自在な携帯型の情報端末とを備える。情報端末は、商品の販売に係るデータの入力を受付け、受付けたデータを処理するとともに、その処理の引継ぎに必要なデータをドッキングステーションの記憶手段に記憶する。そして、情報端末は、当該情報端末が前記ドッキングステーションに装着されたとき、そのドッキングステーションの記憶手段に記憶されているデータに応じた処理を継続的に実行する。
【図面の簡単な説明】
【０００８】
【図１】各実施形態のドッキングステーションおよびタブレット端末の外観を示す図。
【図２】各実施形態のタブレット端末をドッキングステーションから離脱した状態を示す図。
【図３】各実施形態を含むＰＯＳシステムの概略構成図。
【図４】各実施形態のドッキングステーションおよびタブレット端末の要部を示すブロック図。
【図５】各実施形態の業務履歴テーブルの内容を示す図。
【図６】第１実施形態のタブレット端末のＣＰＵが実行する制御を示すフローチャート。
【図７】第１実施形態のタブレット端末の会計画面を示す図。
【図８】各実施形態における業務履歴テーブルの内容の移り変わりを示す図。
【図９】第２実施形態のタブレット端末のＣＰＵが実行する制御を示すフローチャート。
【図１０】第２実施形態のタブレット端末の会計画面を示す図。
【図１１】第２実施形態のタブレット端末の会計画面およびその会計画面上に現われる引継ぎの案内文字を示す図。
【発明を実施するための形態】
【０００９】
［１］第１実施形態  
以下、商品販売データ処理装置の第１実施形態について、図面を用いて説明する。なお、この実施形態は、タブレット型情報端末を活用してＰＯＳ端末としての機能を実現してなる商品販売データ処理装置を例示する。
【００１０】
図１において、１は据置型のドッキングステーション１で、店舗のレジカウンタに設置される。１０はドッキングステーション１への装着およびその取外しが自在な情報端末、例えばタブレット型情報端末（以下、タブレット端末と略称する）である。タブレット端末１０をドッキングステーション１に装着した状態を図１に示し、タブレット端末１０をドッキングステーション１から離脱した状態を図２に示す。
【００１１】
すなわち、ドッキングステーション１は、タブレット端末１０が上部に装着（載置）される箱形の筐体を有し、その筐体の正面にスキャナ用の読取窓２を備え、同筐体の左側面にレシート発行口３を備える。タブレット端末１０を持ち上げてドッキングステーション１から離脱させると、図２のように、ドッキングステーション１の筐体の上部に傾斜状の端末装着部４が現われるとともに、その端末装着部４に配置した拡張用コネクタ５が露出する。
【００１２】
タブレット端末１０は、片手で持つことが可能な矩形状の筐体を有し、その筐体の上面に手指によるタッチ操作が可能なタッチパネル式表示部１１を備えるとともに、同筐体の背面に後述のドッキング用コネクタ６８を備える。タブレット端末１０の背面側をドッキングステーション１の端末装着部４に載置しながらドッキング用コネクタ６８を拡張用コネクタ５に嵌め込むことにより、タブレット端末１０とドッキングステーション１との電気的な接続が完了する。この接続は、タブレット端末１０を持ち上げて端末装着部４から引き離すことにより、容易に解除することができる。
【００１３】
１つのドッキングステーション１および１つのタブレット端末１０により、商品販売データ処理装置を構成している。この商品販売データ処理装置を用いたＰＯＳシステムの概略を図３に示す。
【００１４】
ＰＯＳシステムは、複数台の商品販売データ処理装置と、これら商品販売データ処理装置を一元的に管理する店舗サーバ２０とを含む。各商品販売データ処理装置のドッキングステーション１と店舗サーバ２０とは、ＬＡＮ（Local Area Network）等のネットワーク２１を介して双方向通信自在に接続される。また、ネットワーク２１およびそのネットワーク２１に接続された１台または複数台の無線中継機２２により、各商品販売データ処理装置のタブレット端末１０と店舗サーバ２０とが双方向通信自在に接続される。タブレット端末１０は、ドッキングステーション１に装着されているときもドッキングステーション１から離脱しているときも、ＰＯＳ端末としての機能を実現できる。
【００１５】
店舗の運用として、複数の係員がタブレット端末１０を１台ずつ所持する。係員は、レジカウンタのキャッシャーの業務に就くとき、手持ちのタブレット端末１０をレジカウンタ上のドッキングステーション１に装着し、タブレット端末１０のタッチパネル式表示部１１の表示に従って通常のＰＯＳ端末と同様の会計を行う。
【００１６】
ドッキングステーション１およびタブレット端末１０の要部を図４に示す。  
ドッキングステーション１は、上記拡張用コネクタ５のほかに、通信インターフェース４１、補助記憶デバイス（記憶手段）４２、電源ユニット４３、スキャナ４４、プリンタ４５、Ｉ／Ｏコントローラ４６，４７を少なくとも搭載する。通信インターフェース４１、補助記憶デバイス４２、電源ユニット４３、スキャナ４４、プリンタ４５、Ｉ／Ｏコントローラ４６，４７は、アドレスバス，データバス等のバスライン４０によって相互接続される。
【００１７】
通信インターフェース４１は、ネットワーク２１に接続される。通信インターフェース４１は、ネットワーク２１を介してタブレット端末１０と店舗サーバ２０との間で行われるデータの送受信を司る。
【００１８】
補助記憶デバイス４２は、コンピュータの補助記憶部分に相当する。補助記憶デバイス４２は、例えばＥＥＰＲＯＭ（electric erasable programmable read-only memory）、ＨＤＤ（Hard Disk Drive）、あるいはＳＳＤ（solid state drive）などである。補助記憶デバイス４２は、タブレット端末１０のＣＰＵ６１が各種の処理を行う上で使用するデータや、ＣＰＵ６１での処理によって生成されたデータを保存する。補助記憶デバイス４２は、アプリケーションプログラムを記憶する場合もある。
【００１９】
そして、補助記憶デバイス４２は、端末コードテーブル４２ａおよび業務履歴テーブル４２ｂを格納するとともに、処理データ記憶エリア４２ｃを有する。
【００２０】
端末コードテーブル４２ａは、各タブレット端末１０とそれを所持する係員の係員コードとを対応付けたもので、定期的に店舗サーバ２０から各ドッキングステーション１に送られて更新される。
【００２１】
業務履歴テーブル４２ｂは、図５に示すように、タブレット端末１０の処理の引継ぎ必要なデータを履歴として保存しておくためのもので、日時・端末・業務名・アプリコード・引継コード・引継前端末などの項目を含む。
【００２２】
日時の項目には、処理を開始した日時データが入る。端末の項目には、処理を実行したタブレット端末１０の端末コード例えば“Ｘ１”“Ｘ２”…“Ｘｎ”が入る。業務名の項目には、タブレット端末１０が実行した処理が何の業務に対応するかを表わす業務名が入る。アプリコードの項目には、処理を実行するためのアプリケーションプログラムの識別用コードが入る。引継コードの項目には、処理の引継ぎに必要なデータが処理データ記憶エリア４２ｃ内のどのデータであるかを識別するための引継コードが入る。引継前端末の項目には、タブレット端末１０が実行した処理が当該タブレット端末１０より以前に装着されていたタブレット端末１０の処理の引継ぎである場合に、以前に装着されていたタブレット端末１０のどのタブレット端末１０であるかを示す引継前端末コードが入る。
【００２３】
処理データ記憶エリア４２ｃは、処理の引継ぎに必要なデータのうち、実際に処理された処理済みデータを記憶する。
【００２４】
電源ユニット４３は、商用交流電源３０の電圧を当該ドッキングステーション１の動作用電圧に変換し出力するとともに、タブレット端末１０に対する充電用電圧を出力する。この充電用電圧は、拡張用コネクタ５を介してタブレット端末１０に供給される。
【００２５】
スキャナ４４は、読取窓２に翳されるバーコード等を光学的に読み取る。スキャナ４４は、カメラによって撮像した商品画像からその商品に付されるバーコード等を読み取るタイプであってもよい。
【００２６】
プリンタ４５は、搬送されるロール紙に例えばサーマル方式で印字する。印字されたロール紙は、レシート発行口３から排出され、切断されて、レシートとして発行される。プリンタ４５は、ロール紙としてラベル用紙を用いることで、ラベルを発行することも可能である。また、プリンタ４５は、サーマル方式以外の印字方式を採用したものであってもよい。
【００２７】
Ｉ／Ｏコントローラ４６は、ドッキングステーション１の筐体の背面または側面に外付け接続される機器例えばドロワ５１を制御する。Ｉ／Ｏコントローラ４７は、ドッキングステーション１の筐体の背面または側面に外付け接続される機器例えばカードリーダライタ５２を制御する。カードリーダライタ５２は、電子マネーカードに対するデータの読取り及び書込みが可能である。
【００２８】
一方、タブレット端末１０は、ＣＰＵ（Central Processing Unit）６１、ＲＯＭ（Read Only Memory）６２、ＲＡＭ（Random Access Memory）６３、タッチパネルコントローラ６４、無線通信ユニット６５、時計部６６、ＵＳＢ（Universal Serial Bus）コネクタ６７、ドッキング用コネクタ６８、バッテリ６９などを搭載する。ＣＰＵ６１と、ＲＯＭ６２、ＲＡＭ６３、タッチパネルコントローラ６４、無線通信ユニット６５、時計部６６、ＵＳＢコネクタ６７、ドッキング用コネクタ６８とは、アドレスバス，データバス等のバスライン７０によって接続される。
【００２９】
ＣＰＵ６１は、コンピュータの中枢部分に相当する。ＣＰＵ６１は、オペレーティングシステムやアプリケーションプログラムに従って、ＰＯＳ端末としての各種の機能を実現するべく各部を制御する。
【００３０】
ＲＯＭ６２は、上記コンピュータの主記憶部分に相当する。ＲＯＭ６２は、上記オペレーティングシステムやアプリケーションプログラムを記憶する。ＲＯＭ６２は、ＣＰＵ６１が各種の処理を実行する上で必要なデータを記憶する場合もある。
【００３１】
ＲＡＭ６３は、上記コンピュータの主記憶部分に相当する。ＲＡＭ６３は、ＣＰＵ６１が各種の処理を実行する上で必要なデータを必要に応じて記憶する。またＲＡＭ６３は、ＣＰＵ６１が各種の処理を行う際のワークエリアとしても利用される。
【００３２】
タッチパネル式表示部１１は、ディスプレイ２１ｄの表示部分に、入力部であるタッチセンサ２１ｔを配置して構成される。このタッチパネル式表示部１１が接続されるタッチパネルコントローラ６４は、ディスプレイ２１ｄの画面表示を制御するとともに、タッチセンサ２１ｔの信号を監視する。そしてタッチパネルコントローラ６４は、タッチ操作された位置座標情報とそのタッチ操作時点におけるディスプレイ２１ｄの画面情報とから、入力データを検出する。
【００３３】
無線通信ユニット６５は、上記無線中継機２２との間で無線通信を利用してデータの送受信を行う。時計部６６は、現在の日付及び時刻を計時する。
【００３４】
ＵＳＢコネクタ６７は、ＵＳＢ規格に準拠した通信方式を有する種々のＵＳＢデバイスを着脱自在に接続するためのコネクタである。このＵＳＢコネクタ６７には、上記ドロワ５１や上記カードリーダライタ５２を接続することが可能である。
【００３５】
ドッキング用コネクタ６８は、タブレット端末１０をドッキングステーション１に接続するためのもので、タブレット端末１０の筐体の背面に配置される。
【００３６】
バッテリ６９は、当該タブレット端末１０の動作用電圧を出力するもので、当該タブレット端末１０がドッキングステーション１に装着された場合に、ドッキングステーション１から拡張用コネクタ５およびドッキング用コネクタ６８を介して供給される充電用電圧によって充電される。
【００３７】
そして、ＣＰＵ６１は、ＲＯＭ６２内の制御プログラムに基づく主要な機能として、次の（１）〜（６）の手段を有する。  
（１）タッチパネル式表示部１１の表示画面に対する手指等のタッチ操作、およびドッキングステーション１におけるスキャナ４４の読取りデータを、商品の販売に係るデータの入力として受付ける入力手段。
【００３８】
（２）上記入力手段で受付けた入力データを商品販売データとして処理する処理手段。
【００３９】
（３）上記処理手段の処理の引継ぎに必要なデータをドッキングステーション１の補助記憶デバイス４２に記憶する第１制御手段。具体的には、第１制御手段は、上記処理手段による処理の実行に伴い、その処理の引継ぎに必要なデータをドッキングステーション１の補助記憶デバイス４２に逐次に記憶する。
【００４０】
（４）当該タブレット端末１０がドッキングステーション１に装着されているか否かを判定する判定手段。この判定手段は、具体的には、ドッキング用コネクタ６８を介して確認信号を送出し、この確認信号がドッキング用コネクタ６８に戻る場合は装着されていると判定し、確認信号がドッキング用コネクタ６８に戻らない場合は装着されていないと判定する。
【００４１】
（５）上記判定手段がドッキングステーション１への装着の旨を判定したとき（装着タイミング）、その装着先のドッキングステーション１の補助記憶デバイス４２に記憶されているデータに応じた処理を上記処理手段で継続的に実行させる第２制御手段。
【００４２】
（６）処理の継続的な実行に際し、その処理がどの情報端末で実行されていたものであるかを示すデータをタッチパネル式表示部１１で表示する表示制御手段。
【００４３】
つぎに、タブレット端末１０のＣＰＵ６１が実行する制御を図６のフローチャートを参照しながら説明する。  
レジカウンタで会計業務を行う係員は、携帯しているタブレット端末１０をレジカウンタ上のドッキングステーション１に装着する。この装着タイミングにおいて（Ａｃｔ１のＹＥＳ）、ＣＰＵ６１は、ドッキングステーション１の補助記憶デバイス４２における業務履歴テーブル４２ｂから、当該タブレット端末１０より前に装着されていたタブレット端末１０からの処理の引継ぎに必要なデータを読込む（Ａｃｔ２）。そして、ＣＰＵ６１は、読込んだデータに含まれるアプリコードに対応するアプリケーションプログラムを起動し（Ａｃｔ３）、そのアプリケーションプログラムに基づく処理を実行する（Ａｃｔ４）。
【００４４】
例えば、当該タブレット端末１０より前に装着されていたタブレット端末１０が会計業務の処理を実行していた場合には、図５の業務履歴テーブル４２ｂの最終行に、直前処理の履歴として処理の開始日時“2013年2月22日02時10分15秒”、処理を実行したタブレット端末１０の端末コード“Ｘ５”、業務名“会計”、アプリコード“1001”、引継コード“Y321”、引継前端末“―（なし）”が入っている。
【００４５】
この場合、ＣＰＵ６１は、アプリコード“1001”に対応する会計業務用のアプリケーションプログラムを起動し、かつ引継コード“Y321”に紐づけられた処理済みデータを処理データ記憶エリア４２ｃから取込んでその処理済みデータを以後の処理に継続的に使用する。
【００４６】
会計業務において、係員は、買物客がレジカウンタに持ち込む商品のバーコードをドッキングステーション１の読取窓２に翳し、そのバーコードを読取って商品の登録を行う。
【００４７】
ＣＰＵ６１は、この会計業務に際し、図７に示す会計画面をタッチパネル式表示部１１で表示する。そして、ＣＰＵ６１は、会計画面に対する手指等のタッチ操作およびドッキングステーション１におけるスキャナ４４の読取りデータを商品の販売に係るデータの入力として受付け、受付けた入力データを商品販売データとして処理する。
【００４８】
会計画面は、商品情報表示欄１０１、置数表示欄１０２、置数キー１０３、合計金額表示欄１０４、預り金額表示欄１０５、釣額表示欄１０６、ガイダンス表示欄１０７、締めキー１０８などの表示を含む。
【００４９】
商品情報表示欄１０１は、登録された商品・個数・小計・関連情報などを表示する。置数表示欄１０２は、置数キー１０３のタッチ操作によって入力される数値を表示する。合計金額表示欄１０４は、登録された商品の合計金額を表示する。預り金額表示欄１０５は、置数キー１０３のタッチ操作によって入力される数値を買物客からの預り金額として表示する。釣額表示欄１０６は、預り金額から合計金額を差し引いた金額を釣額として表示する。ガイダンス表示欄１０７は、係員に対する種々の案内文字を表示する。
【００５０】
現時点の処理は、端末コード“Ｘ５”のタブレット端末１０から引継いだ会計業務の処理である。よって、ＣＰＵ６１は、図７のように、ガイダンス表示欄１０７において『会計業務』および『端末Ｘ５から引継ぎました』という案内文字を表示する。
【００５１】
ＣＰＵ６１は、Ａｃｔ４の処理の実行に伴い、当該タブレット端末１０がドッキングステーション１に装着状態であることを条件に（Ａｃｔ５のＹＥＳ）、その処理の引継ぎに必要なデータをドッキングステーション１の補助記憶デバイス４２に逐次に保存する（Ａｃｔ６）。
【００５２】
会計画面上の締めキー１０９がタッチ操作（終了操作）されたとき（Ａｃｔ７のＹＥＳ）、ＣＰＵ６１は、上記登録内容に基づいて会計金額（合計金額）を算出する締め処理（終了処理）を実行する（Ａｃｔ８）。
【００５３】
締め処理において、ＣＰＵ６１は、算出した会計金額（合計金額）を合計金額表示欄１０４で表示し、預り金額を預り金額表示欄１０５で表示し、釣額を釣額表示欄１０６で表示する。締め処理において、ＣＰＵ６１は、商品販売データをプリンタ４５でレシートに印字してそのレシートをレシート発行口３から排出する。
【００５４】
ＣＰＵ６１は、この締め処理の内容についても、“引継ぎに必要なデータ”としてドッキングステーション１の補助記憶デバイス４２に保存する（Ａｃｔ９）。この保存により、業務履歴テーブル４２ｂの最終行に、図８に示すように。今回の処理の開始日時“2013年2月22日02時10分32秒”、処理を実行したタブレット端末１０の端末コード“Ｘ４”、業務名“会計”、アプリコード“1001”、引継コード“Z123”、引継前端末“Ｘ５”が入る。
【００５５】
このように、タブレット端末１０をドッキングステーション１に装着するだけで、前のタブレット端末１０の処理を自動的に引継いで実行することができる。したがって、例えば係員Ａに代わって別の係員Ｂが会計業務を引継ぐ場合、後から来た係員Ｂは、手持ちのタブレット端末１０をドッキングステーション１に装着するだけで、会計業務を迅速に開始することができる。店舗にとっては、係員の勤務体系を含めて商品販売形態の多様化が図れる。買物客の待ち時間の短縮が図れるなど、顧客サービスの向上も図れる。
【００５６】
係員が会計業務を遂行しているとき、使用中のタブレット端末１０が故障や異常により動作しなくなることも考えられる。この場合、係員は、動作しなくなったタブレット端末１０に代えて、予備のタブレット端末１０をドッキングステーション１に装着するだけで、会計業務を支障なく継続することができる。
【００５７】
なお、ここまでは会計業務の処理の引継ぎについて説明したが、タブレット端末１０で別の業務の処理を実行することも、もちろん可能である。
【００５８】
ＣＰＵ６１は、ドッキングステーション１への装着タイミングを除き（Ａｃｔ１のＮＯ）、初期画面上での業務の指定を監視する（Ａｃｔ１０）。業務が指定されたとき（Ａｃｔ１０のＹＥＳ）、ＣＰＵ６１は、指定された業務に対応するアプリケーションプログラムを起動し（Ａｃｔ１１）、そのアプリケーションプログラムに基づく処理を実行する（Ａｃｔ４）。以後の処理は上記同様なので、その説明は省略する。
【００５９】
［２］第２実施形態  
ＣＰＵ６１は、ＲＯＭ６２内のアプリケーションプログラムに基づく主要な機能のうち、第１実施形態の（３）の第１制御手段および（５）の第２制御手段に代えて、次の（１３）の第１制御手段および（１５）の第２制御手段を有する。  
（１３）後述の引継キー１０８のタッチ操作に基づく“処理の引継ぎ指定”を受けたとき、上記処理手段による実行中の処理を中断し、処理の引継ぎに必要なデータ、具体的には“中断した処理の再開および継続に必要なデータ”を、ドッキングステーション１の補助記憶デバイス４２に記憶する第１制御手段。
【００６０】
（１５）上記判定手段がドッキングステーション１への装着の旨を判定したとき（装着タイミング）、補助記憶デバイス４２内の業務履歴テーブルの最終行に引継コードが存在していれば、装着先のドッキングステーション１の補助記憶デバイス４２に記憶されているデータに応じた処理を上記（２）の処理手段で継続的に実行させる第２制御手段。
【００６１】
タブレット端末１０のＣＰＵ６１が実行する制御を図９のフローチャートを参照しながら説明する。  
レジカウンタで会計業務を行う係員は、携帯しているタブレット端末１０をレジカウンタ上のドッキングステーション１に装着する。
【００６２】
ＣＰＵ６１は、ドッキングステーション１への装着を監視するとともに、その装着タイミングにおいて引継コードの有無を判定する（Ａｃｔ１１）。引継コードの有無については、装着先のドッキングステーション１の補助記憶デバイス４２における業務履歴テーブル４２ｂを参照することにより、判定する。
【００６３】
ＣＰＵ６１は、業務履歴テーブル４２ｂの最終行の履歴に引継コードが含まれている場合（Ａｃｔ１１のＹＥＳ）、その引継コードを含む“中断した処理の再開および継続に必要なデータ”を補助記憶デバイス４２から読込む（Ａｃｔ１２）。そして、ＣＰＵ６１は、読込んだデータに含まれるアプリコードに対応するアプリケーションプログラムを起動し（Ａｃｔ１３）、そのアプリケーションプログラムに基づき、前のタブレット端末１０で中断した処理をその中断したところから引継いで継続的に実行する（Ａｃｔ１４）。
【００６４】
例えば、当該タブレット端末１０より前に装着されていたタブレット端末１０が会計業務の処理を実行していた場合には、図５の業務履歴テーブル４２ｂの最終行に、直前処理の履歴として処理の開始日時“2013年2月22日02時10分15秒”、処理を実行したタブレット端末１０の端末コード“Ｘ５”、業務名“会計”、アプリコード“1001”、引継コード“Y321”、引継前端末“―（なし）”が入っている。
【００６５】
この場合、ＣＰＵ６１は、アプリコード“1001”に対応する会計業務用のアプリケーションプログラムを起動し、かつ引継コード“Y321”に紐づけられた処理済みデータを処理データ記憶エリア４２ｃから取込んでその処理済みデータを以後の処理に継続的に使用する。
【００６６】
会計業務において、係員は、買物客がレジカウンタに持ち込む商品のバーコードをドッキングステーション１の読取窓２に翳し、そのバーコードを読取って商品の登録を行う。
【００６７】
ＣＰＵ６１は、この会計業務に際し、図１０に示す会計画面をタッチパネル式表示部１１で表示する。そして、ＣＰＵ６１は、会計画面に対する手指等のタッチ操作およびドッキングステーション１におけるスキャナ４４の読取りデータを商品の販売に係るデータの入力として受付け、受付けた入力データを商品販売データとして処理する。
【００６８】
図１０の会計画面は、商品情報表示欄１０１、置数表示欄１０２、置数キー１０３、合計金額表示欄１０４、預り金額表示欄１０５、釣額表示欄１０６、ガイダンス表示欄１０７、締めキー１０８のほかに、引継ぎ指定手段である引継キー１０８の表示を含む。ガイダンス表示欄１０７では、例として、『会計業務』および『端末Ｘ５から引継ぎました』という案内文字を表示している。
【００６９】
会計画面上の締めキー１０９がタッチ操作（終了操作）されたとき（Ａｃｔ１５のＹＥＳ）、ＣＰＵ６１は、上記登録内容に基づいて会計金額（合計金額）を算出する締め処理（終了処理）を実行する（Ａｃｔ１６）。
【００７０】
締め処理において、ＣＰＵ６１は、算出した会計金額（合計金額）を合計金額表示欄１０４で表示し、預り金額を預り金額表示欄１０５で表示し、釣額を釣額表示欄１０６で表示する。締め処理において、ＣＰＵ６１は、商品販売データをプリンタ４５でレシートに印字してそのレシートをレシート発行口３から排出する。
【００７１】
ＣＰＵ６１は、この締め処理に伴い、処理の引継ぎに必要なデータをドッキングステーション１の補助記憶デバイス４２に保存する（Ａｃｔ１７）。この保存により、業務履歴テーブル４２ｂの最終行に、図８に示すように。今回の処理の開始日時“2013年2月22日02時10分32秒”、処理を実行したタブレット端末１０の端末コード“Ｘ４”、業務名“会計”、アプリコード“1001”、引継コード“Z123”、引継前端末“Ｘ５”が入る。
【００７２】
一方、処理の実行中、ＣＰＵ６１は、締めキー１０９のタッチ操作（終了操作）がないこと（Ａｃｔ１５のＮＯ）、および当該タブレット端末１０がドッキングステーション１に装着されていることを条件に（Ａｃｔ１８のＹＥＳ）、引継キー１０８のタッチ操作を監視する（Ａｃｔ１９）。
【００７３】
引継キー１０８のタッチ操作に基づく“処理の引継ぎ指定”があったとき（Ａｃｔ１９のＹＥＳ）、ＣＰＵ６１は、実行中の処理を中断し、中断した処理の再開および継続に必要なデータをドッキングステーション１の補助記憶デバイス４２に保存する（Ａｃｔ２０）。
【００７４】
この場合、ＣＰＵ６１は、図１１に示すように、会計画面のガイダンス表示欄１０７において、『会計業務を引継ぎます。この端末を取外してください。』という案内文字を表示する。この案内を見た係員は、タブレット端末１０をドッキングステーション１から取外して、別の業務に赴いたり、他の係員と業務を交代する。
【００７５】
この中断に伴い、ＣＰＵ６１は、一連の処理を終えるための終了処理を実行し（Ａｃｔ１６）、この終了に係るデータについても、“中断した処理の再開および継続に必要なデータ”としてドッキングステーション１の補助記憶デバイス４２に保存する（Ａｃｔ１７）。この保存により、業務履歴テーブル４２ｂの最終行に、図８に示すように。今回の処理の開始日時“2013年2月22日02時10分32秒”、処理を実行したタブレット端末１０の端末コード“Ｘ４”、業務名“会計”、アプリコード“1001”、引継コード“Z123”、引継前端末“Ｘ５”が入る。
【００７６】
このように、画面上の引継キー１０８にタッチ操作することにより、現時点の処理を中断して別のタブレット端末１０に引継ぐことができる。したがって、レジカウンタの係員が急な用事でその場を離れなければならない場合、現時点の会計業務を他の係員に引継いでもらうことができる。引継ぎを受けた係員は、手持ちのタブレット端末１０をドッキングステーション１に装着するだけで、会計業務を迅速に継続することができる。店舗にとっては、係員の勤務体系を含めて商品販売形態の多様化が図れる。買物客の待ち時間の短縮が図れるなど、顧客サービスの向上も図れる。
【００７７】
なお、ここまでは会計業務の処理の引継ぎについて説明したが、タブレット端末１０で別の業務の処理を実行することも、もちろん可能である。
【００７８】
ＣＰＵ６１は、ドッキングステーション１への装着タイミングを除き（Ａｃｔ１１のＮＯ）、初期画面上での業務の指定を監視する（Ａｃｔ２１）。業務が指定されたとき（Ａｃｔ２１のＹＥＳ）、ＣＰＵ６１は、指定された業務に対応するアプリケーションプログラムを起動し（Ａｃｔ２２）、そのアプリケーションプログラムに基づく処理を実行する（Ａｃｔ１４）。以後の処理は上記同様なので、その説明は省略する。
【００７９】
［３］変形例  
商品販売データ処理装置の譲渡は一般に、制御プログラム等のプログラムがＲＯＭに記憶された状態にて行われる。しかしこれに限らず、コンピュータ装置が備える書き込み可能な記憶デバイスに、このコンピュータ装置とは個別に譲渡された制御プログラム等がユーザなどの操作に応じて書き込まれてもよい。制御プログラム等の譲渡は、リムーバブルな記録媒体に記録して、あるいはネットワークを介した通信により行うことができる。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００８０】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１…ドッキングステーション、２…読取窓、３…レシート排出口、４…端末装着部、５…拡張用コネクタ、１０…タブレット端末（情報端末）、１１…タッチパネル式表示部、４２…補助記憶デバイス、４２ａ…端末コードテーブル、４２ｂ…業務履歴テーブル、４２ｃ…処理データ記憶エリア、６１…ＣＰＵ、６９…ドッキング用コネクタ
【図１】
2015022359.tif 000003
【図２】
2015022359.tif 000004
【図３】
2015022359.tif 000005
【図４】
2015022359.tif 000006
【図５】
2015022359.tif 000007
【図６】
2015022359.tif 000008
【図７】
2015022359.tif 000009
【図８】
2015022359.tif 000010
【図９】
2015022359.tif 000011
【図１０】
2015022359.tif 000012
【図１１】
2015022359.tif 000013